(57)【要約】      （修正有）【課題】簡単な構成により、幼児がいたずらで鉛筆削り孔に指を挿入した場合に、刃部に指が触れないようにして、指が刃部により切断される事故を防止しうる電動式鉛筆削り機を提供する。【解決手段】ケース本体１２の内部に、刃部１３と、上記刃部を回転させるモータが備えられると共に、鉛筆削り孔１４に鉛筆が挿入された際に、上記モータの回路が閉成されて上記モータが回転することにより上記刃部が回転して鉛筆が自動的に削られるように構成された電動式鉛筆削り機１１であって、上記鉛筆削り孔が開設された上記ケース本体の正面部に設けられ、上記鉛筆削り孔と連通する鉛筆挿通孔１６を内部に有し、上記ケース本体の正面部より外方へ突出して、上記鉛筆挿通孔に指を挿入した場合に、その指を上記ケース本体の内部に装備された上記刃部に到達不能とする指保護用アタッチメント１７が設けられた。【選択図】図４
0003129937.tif 000002
【実用新案登録請求の範囲】
【請求項１】
ケース本体の内部に、刃部と、上記刃部を回転させるモータが備えられると共に、鉛筆削り孔に鉛筆が挿入された際に、上記モータの回路が閉成されて上記モータが回転することにより上記刃部が回転して鉛筆が自動的に削られるように構成された電動式鉛筆削り機であって、
上記鉛筆削り孔が開設された上記ケース本体の正面部に設けられ、上記鉛筆削り孔と連通する鉛筆挿通孔を内部に有し、上記ケース本体の正面部より外方へ突出して、上記鉛筆挿通孔に指を挿入した場合に、その指を上記ケース本体の内部に装備された上記刃部に到達不能とする指保護用アタッチメントが設けられたことを特徴とする電動式鉛筆削り機。
【請求項２】
上記指保護用アタッチメントは、上記鉛筆削り孔を囲繞して外方へ僅かに突出し、短筒状に形成された取付部側アタッチメントと、筒状に形成され、上記取付部側アタッチメントに固定される突出部側アタッチメントとにより構成されていることを特徴とする請求項１記載の電動式鉛筆削り機。
【請求項３】
上記指保護用アッタチメントは、上記鉛筆挿通孔の入口から上記刃部までの距離が５０ｍｍ以上となるように長さ寸法が設定されていることを特徴とする請求項１又は２のいずれか１項に記載の電動式鉛筆削り機。
【請求項４】
上記突出部側アタッチメントは、上記取付部側アタッチメントに対して着脱自在に設けられていることを特徴とする請求項２又は３のいずれか１項に記載の電動式鉛筆削り機。
【考案の詳細な説明】
【技術分野】
【０００１】
本考案は電動式鉛筆削り機に係り、特に、幼児が鉛筆削り孔に指を挿入して、指が刃部に触れることにより、指が切断される事故を防止しうる電動式鉛筆削り機に関する。
【背景技術】
【０００２】
従来の電動式鉛筆削り機は、特許文献１等に開示されているように、ケース本体の内部に刃部と、上記刃部を回転させるモータとが装備され、鉛筆削り孔に鉛筆を挿入するとスイッチが入り、刃部を回転させるモータの回路が閉成され、刃部が自動的に回転して鉛筆を削るように構成されている。
【０００３】
【特許文献１】実公平３−４９９１９号公報
【０００４】
電動式鉛筆削り機にあっては、幼児が興味心で鉛筆削り孔に指を挿入する場合があり、その場合、刃部が指の挿入を感知して自動的に回転することから、幼児の指が切断されてしまうという危険性がある。
【０００５】
しかしながら、幼児が鉛筆削り孔に指を挿入して、指が刃部により切断される危険性を回避しうるような電動鉛筆削り器は存在していない。
【考案の開示】
【考案が解決しようとする課題】
【０００６】
そこで本考案の課題は、簡単な構成により、幼児がいたずらで鉛筆削り孔に指を挿入した場合に、刃部に指が触れないようにして、指が刃部により切断される事故を防止しうる電動式鉛筆削り機を提供することにある。
【課題を解決するための手段】
【０００７】
上記課題を解決するために、本考案に係る電動式鉛筆削り機は、ケース本体の内部に、刃部と、上記刃部を回転させるモータが備えられると共に、鉛筆削り孔に鉛筆が挿入された際に、上記モータの回路が閉成されて上記モータが回転することにより上記刃部が回転して鉛筆が自動的に削られるように構成された電動式鉛筆削り機であって、上記鉛筆削り孔が開設された上記ケース本体の正面部に設けられ、上記鉛筆削り孔と連通する鉛筆挿通孔を内部に有し、上記ケース本体の正面部より外方へ突出して、上記鉛筆挿通孔に指を挿入した場合に、その指を上記ケース本体の内部に装備された上記刃部に到達不能とする指保護用アタッチメントが設けられたことを特徴とする。
【０００８】
すなわち、本考案に係る上記電動式鉛筆削り機は、ケース本体の内部にモータで回転する刃部が備えられていて、鉛筆削り孔に鉛筆が挿入されたことを検知して上記モータが作動することにより上記刃部が自動的に回転して鉛筆を削ることができるという利便性を有するものであるが、その反面、上記鉛筆削り孔に幼児が興味心で指を挿入することによりその指が上記刃部で切断されるという危険性も有しているので、その危険性を解消するために考案されたものである。
そして、本考案に係る電動式鉛筆削り機においては、上記危険性を解消するための手段として上記指保護用アタッチメントが使用される。上記指保護用アタッチメントは上記鉛筆削り孔が開設された上記ケース本体の正面部に設けられる。
上記指保護用アタッチメントは、上記鉛筆削り孔と連通する鉛筆挿通孔を内部に有し、上記ケース本体の正面部より外方へ突出するように上記ケース本体に対し装着される。上記指保護用アタッチメントは、上記鉛筆挿通孔に指を挿入した場合に、その指を上記ケース本体の内部に装備された上記刃部に到達不能とする機能を有する。
【０００９】
また、本考案に係る上記電動式鉛筆削り機にあっては、上記指保護用アタッチメントは、上記鉛筆削り孔を囲繞して外方へ僅かに突出し、短筒状に形成された取付部側アタッチメントと、筒状に形成され、上記取付部側アタッチメントに固定される突出部側アタッチメントとにより構成されていることを特徴とする。
【００１０】
すなわち、本考案に係る上記電動式鉛筆削り機は、上記指保護用アタッチメントが、上記取付部側アタッチメントと、突出部側アタッチメントとにより構成される。上記取付部側アタッチメントと上記突出部側アタッチメントは、例えば、上記雌ネジ部と上記雄ネジ部とを螺着させることにより結合して一体化することができる。
【００１１】
また、本考案に係る上記電動式鉛筆削り機にあっては、上記指保護用アッタチメントは、上記鉛筆挿通孔の入口から上記刃部までの距離が５０ｍｍ以上となるように長さ寸法が設定されていることを特徴とする。
【００１２】
すなわち、本考案に係る上記電動式鉛筆削り機は、幼児の指の長さを５０ｍｍ未満に想定して、幼児が指を上記鉛筆挿通孔に挿入しても、その指が刃部まで到達しないように、上記指保護用アッタチメントの上記鉛筆挿通孔の入口から上記刃部までの距離寸法が５０ｍｍ以上に設定されている。
【００１３】
また、本考案に係る上記電動式鉛筆削り機にあっては、上記突出部側アタッチメントは、上記取付部側アタッチメントに対して着脱自在に設けられていることを特徴とする。
【００１４】
すなわち、本考案に係る上記電動式鉛筆削り機は、大人が使用する場合は、上記突出部側アタッチメントが邪魔になる場合があるので、取り外し可能とするために、上記突出部側アタッチメントが上記取付部側アタッチメントに対し着脱自在に構成されている。
【考案の効果】
【００１５】
請求項１記載の本考案に係る電動式鉛筆削り機は、ケース本体の内部に、刃部と、上記刃部を回転させるモータが備えられると共に、鉛筆削り孔に鉛筆が挿入された際に、上記モータの回路が閉成されて上記モータが回転することにより上記刃部が回転して鉛筆が自動的に削られるように構成された電動式鉛筆削り機であって、上記鉛筆削り孔が開設された上記ケース本体の正面部に設けられ、上記鉛筆削り孔と連通する鉛筆挿通孔を内部に有し、上記ケース本体の正面部より外方へ突出して、上記鉛筆挿通孔に指を挿入した場合に、その指を上記ケース本体の内部に装備された上記刃部に到達不能とする指保護用アタッチメントが設けられたことから、幼児が興味心で上記指保護用アタッチメントの鉛筆挿通孔に指を挿入しても、その指がケース本体内部の刃部まで到達しないので、回転する刃部に指が触れて指が切断されることを確実に防止することができる。
【００１６】
請求項２記載の本考案に係る電動式鉛筆削り機は、上記指保護用アタッチメントは、上記鉛筆削り孔を囲繞して外方へ僅かに突出し、短筒状に形成されて内面部に雌ネジ部が形成された取付部側アタッチメントと、筒状に形成され上記取付部側アタッチメントに固定される突出部側アタッチメントとにより構成されていることから、上記指保護用アタッチメントの構造がシンプルで容易に形成することができ、製造コストの上昇を回避することができる。
【００１７】
請求項３記載の本考案に係る電動式鉛筆削り機は、上記指保護用アッタチメントは、上記鉛筆挿通孔の入口から上記刃部までの距離が５０ｍｍ以上となるように長さ寸法が設定されていることから、
上記鉛筆挿通孔の入口から刃部までの距離寸法が、殆どの幼児の指の長さより大きくなるので、たとえ幼児が指を上記鉛筆挿通孔に興味心で挿入するようなことがあっても、その指が上記刃部に触れることはなく、指が刃部により切断される事故を確実に防止することができ、鉛筆削り器の安全性を向上させることができる。
【００１８】
請求項４記載の本考案に係る電動式鉛筆削り機は、上記突出部側アタッチメントは、上記取付部側アタッチメントに対して着脱自在に設けられていることから、上記突出部側アタッチメントの上記雄ネジ部を、上記取付部側アタッチメントの上記雌ネジ部に螺着させるだけで、上記ケース本体の正面部に設けられた上記鉛筆削り孔の位置に上記指保護用アタッチメントを簡単に装着することができ、又、上記指保護用アタッチメントを使用しない場合は簡単に取り外すことができる。
【考案を実施するための最良の形態】
【００１９】
以下、図面を用いて本考案の実施の形態について説明する。
本実施の形態に係る電動式鉛筆削り機１１は、図１〜図４に示すように、ケース本体１２の内部に、刃部１３と、上記刃部１３を回転させるモータ（図は省略）が備えられると共に、鉛筆削り孔１４に鉛筆が挿入された際に、上記モータの回路が閉成されて上記モータが回転することにより上記刃部１３が回転して鉛筆が自動的に削られるように構成された電動式鉛筆削り機１１であって、上記鉛筆削り孔１４が開設された上記ケース本体１２の正面部１５に設けられ、上記鉛筆削り孔１４と連通する鉛筆挿通孔１６を内部に有し、上記ケース本体１２の正面部１５より外方へ突出して、上記鉛筆挿通孔１６に指を挿入した場合に、その指を上記ケース本体１２の内部に装備された上記刃部１３に到達不能とする指保護用アタッチメント１７が設けられている。
【００２０】
また、上記指保護用アタッチメント１７は、図１、図２及び図４に示すように、上記鉛筆削り孔１４を囲繞して外方へ僅かに突出し、短筒状に形成されて内面部に雌ネジ部１８が形成された取付部側アタッチメント１９と、筒状に形成されると共に、その長さ方向一端の外面部に上記取付部側アタッチメント１９に形成された上記雌ネジ部１８と螺着可能な雄ネジ部２０が設けられている突出部側アタッチメント２１とにより構成されている。
【００２１】
また、上記指保護用アッタチメント１７は、図４に示すように、上記鉛筆挿通孔１６の入口から上記刃部１３までの距離が５０ｍｍ以上となるように長さ寸法が設定されている。
【００２２】
また、図２に示すように、上記突出部側アタッチメント２１は、上記取付部側アタッチメント１９に対して着脱自在に設けられている。
【実施例１】
【００２３】
図は実施例に係る電動式鉛筆削り機１１を示したものである。
本実施例に係る電動式鉛筆削り機１１は、図２〜図４に示すように、ケース本体１２の正面部１５に開口する鉛筆削り孔１４が設けられている。
【００２４】
また、上記電動式鉛筆削り機１１は、上記ケース本体１２の内部に、図３及び図４に示すように、刃部１３と、上記刃部１３を回転させるモータ（図示は省略）が備えられている。
【００２５】
上記電動式鉛筆削り機１１は、上記鉛筆削り孔１４に鉛筆が挿入された際に、それが検知されて、上記モータの回路が閉成され、上記モータが回転することにより上記刃部１３が回転して鉛筆が自動的に削られるように構成されている。
【００２６】
本実施例の電動式鉛筆削り機１１には、図１及び図２に示すように、指保護用アタッチメント１７が備えられている。
【００２７】
上記指保護用アタッチメント１７は、図１及び図２に示すように、上記鉛筆削り孔１４が開設された上記ケース本体１２の正面部１５に装着しうるように形成されている。
【００２８】
上記指保護用アタッチメント１７、図４に示すように、上記鉛筆削り孔１４と連通する鉛筆挿通孔１６を内部に有している。
【００２９】
上記指保護用アタッチメント１７は、図１に示すように、上記ケース本体１２の正面部１５より外方へ所要長さ突出している。
【００３０】
上記指保護用アタッチメント１７は、上記鉛筆挿通孔１６に指を挿入した場合に、その指を上記ケース本体１２の内部に装備された上記刃部１３に到達不能とするために設けられている。
【００３１】
上記指保護用アタッチメント１７は、図２に示すように、取付部側アタッチメント１９と、突出部側アタッチメント２１とにより構成されている。
【００３２】
上記取付部側アタッチメント１９は、図２に示すように、上記ケース本体１２の正面部１５から外方へ僅かに突出するように短筒状に形成されている。上記取付部側アタッチメント１９は、図２〜図４に示すように、上記ケース本体１２の正面部１５に、上記鉛筆削り孔１４を囲繞する配置で取り付けることができる。
【００３３】
上記取付部側アタッチメント１９は、図２及び図４に示すように、内面部に雌ネジ部１８が形成されている。
【００３４】
上記突出部側アタッチメント２１は、図２に示すように、筒状に形成されると共に、その長さ方向一端の外面部に雄ネジ部２０が形成されている。
【００３５】
上記突出部側アタッチメント２１に形成された上記雄ネジ部２０は、図４に示すように、上記取付部側アタッチメント１９に形成された上記雌ネジ部１８と螺着可能に形成されている。
【００３６】
上記取付部側アタッチメント１９は、図３に示すように、その先端から上記ケース本体１２の内部に配置された上記刃部１３までの距離寸法Ｌが３０ｍｍに設定されている。
【００３７】
また、上記指保護用アッタチメント１７は、図２に示すように、全長Ｌ１は２２ｍｍであって、その結果、図４に示すように、上記突出部側アタッチメント２１の先端から、即ち、上記鉛筆挿通孔１６の入口から上記刃部１３までの長さ寸法Ｍが５０ｍｍ以上に設定されている。
【００３８】
上記突出部側アタッチメント２１は、図２に示すように、上記取付部側アタッチメント１９に対して着脱自在に構成されている。
【００３９】
以下に、上記実施例の作用について説明する。
幼児が本実施例に係る上記電動式鉛筆削り機１１を使用する場合は、図１に示すように、上記指保護用アタッチメント１７をケース本体１２の正面部１５に装着する。その場合、上記突出部側アタッチメント２１の上記雄ネジ部２０を、上記取付部側アタッチメント１９の上記雌ネジ部１８に螺着させる。
【００４０】
上記のように、上記突出部側アタッチメント２１を上記取付部側アタッチメント１９に連結させると、上記指保護用アタッチメント１７は上記ケース本体１２の正面部１５から外方へ突出状態となる。
このとき、上記突出部側アタッチメント２１の先端から上記ケース本体１２の内部に配置された上記刃部１３までの距離寸法が、一般的な幼児の指の長さよりも長い５０ｍｍ以上に設定されていることから、幼児が上記指保護用アタッチメント１７の鉛筆挿通孔１６に興味心で指を挿入しても、その指は上記刃部１３には到達しない。
【００４１】
したがって、たとえ、幼児の指が突出部側アタッチメント２１内に挿入された場合であっても、幼児の指は刃部１３に到達しないことから、指が回転する刃部１３により切断されることはなく、安全である。
【００４２】
大人が上記電動式鉛筆削り機１１を使用する場合は、上記指保護用アタッチメント１７が邪魔に感ずる場合がある。その場合は、上記突出部側アタッチメント２１が上記取付部側アタッチメント１９に対し着脱自在であることから、上記突出部側アタッチメント２１を取り外して使用することができる。
【００４３】
上記指保護用アタッチメント１７は、形状及び構造が簡単であり、製造コストを抑えることができる。また、取り付け、取り外しが容易で、使い勝手が良好である。
【産業上の利用可能性】
【００４４】
本考案は電動式鉛筆削り機に適用可能である。
【図面の簡単な説明】
【００４５】
【図１】本考案の実施例に係る電動式鉛筆削り機を示すもので、指保護用アタッチメントを装着した状態の斜視図である。
【図２】本考案の実施例に係る電動式鉛筆削り機を示すもので、取付部側アタッチメントから突出部側アタッチメントを取り外した状態の斜視図である。
【図３】本考案の実施例に係る電動式鉛筆削り機を示すもので、取付部側アタッチメントから突出部側アタッチメントを取り外した状態の一部側面図である。
【図４】本考案の実施例に係る電動式鉛筆削り機を示すもので、突出部側アタッチメントを取り付けた状態の一部を断面とした一部側面図である。
【符号の説明】
【００４６】
１１  電動式鉛筆削り機
１２  ケース本体
１３  刃部
１４  鉛筆削り孔
１５  正面部
１６  鉛筆挿通孔
１７  指保護用アタッチメント
１８  雌ネジ部
１９  取付部側アタッチメント
２０  雄ネジ部
２１  突出部側アタッチメント
【図１】
0003129937.tif 000003
【図２】
0003129937.tif 000004
【図３】
0003129937.tif 000005
【図４】
0003129937.tif 000006